(57)【特許請求の範囲】
【請求項１】
原燃料を水蒸気改質して水素を主成分とするガスを生成する燃料改質装置と、前記燃料改質装置で生成された水素を主成分とするガスを用いて発電を行うセルスタックを有する燃料電池装置と、運転を制御する制御装置とを備え、
前記燃料改質装置は、原燃料を改質して水素を主成分とし一酸化炭素を含む改質ガスを生成する改質器と、前記改質ガスに含まれる一酸化炭素を変成触媒を用いて二酸化炭素に変成する変成器とを有する燃料電池システムであって、
前記制御装置は、前記燃料改質装置で行われる水蒸気改質処理の開始から終了までの連続時間が第１設定時間未満であった第１累積回数が第１所定回数に達すると、その後に前記燃料改質装置で行われる水蒸気改質処理の開始から終了までの連続時間を、前記第１設定時間よりも長い第２設定時間以上にさせる燃料電池システム。
【請求項２】
運転停止時に前記燃料改質装置の内部に充填される原燃料の組成に関する情報を受け付ける組成情報受付手段を備え、
前記制御装置は、前記組成情報受付手段が受け付けた原燃料の組成に応じて前記第１所定回数を決定する請求項１に記載の燃料電池システム。
【請求項３】
前記変成触媒は銅―亜鉛系の触媒であり、
前記組成情報受付手段は、原燃料に含まれる不飽和炭化水素の量に関する情報を受け付け、
前記制御装置は、前記組成情報受付手段が受け付けた原燃料に含まれる不飽和炭化水素の量が多いほど、前記第１所定回数が少なくなるように決定する請求項２に記載の燃料電池システム。
【請求項４】
前記不飽和炭化水素はプロピレンである請求項３に記載の燃料電池システム。
【請求項５】
前記制御装置は、前記燃料改質装置で行われる水蒸気改質処理の開始から終了までの連続時間が前記第２設定時間以上になると、前記第１累積回数を減少させる請求項１〜４の何れか一項に記載の燃料電池システム。
【請求項６】
前記制御装置は、前記燃料改質装置で行われる水蒸気改質処理の開始から終了までの連続時間が前記第２設定時間以上になった第２累積回数が第２所定回数に達すると、前記第１累積回数をゼロにする請求項１〜５の何れか一項に記載の燃料電池システム。
【発明の詳細な説明】
【技術分野】
【０００１】
本発明は、原燃料を水蒸気改質して水素を主成分とするガスを生成する燃料改質装置と、その燃料改質装置で生成された水素を主成分とするガスを用いて発電を行うセルスタックを有する燃料電池装置とを備える燃料電池システムに関する。
【背景技術】
【０００２】
特許文献１には、燃料電池システムの運転方法が記載されている。この運転方法では、起動時には、改質バーナの燃焼を開始して、改質器の温度が原燃料の熱分解を防止でき且つ水蒸気の凝縮を防止できる温度に昇温すると、蒸発部による水蒸気の供給を開始して、燃料改質装置及び燃料電池装置に充填されている原燃料を水蒸気にて置換し、改質器の温度が改質処理可能な温度に昇温すると、原燃料供給手段による原燃料の供給を開始する起動時処理が行われる。また、停止時には、改質バーナの燃焼を停止し、改質器の温度が原燃料の熱分解を防止でき且つ水蒸気の凝縮を防止できる温度に下がるまでは、原燃料供給手段による原燃料の供給及び蒸発部による水蒸気の供給のうち少なくとも蒸発部による水蒸気の供給を継続し、改質器の温度が原燃料の熱分解を防止でき且つ水蒸気の凝縮を防止できる温度に下がると、蒸発部による水蒸気の供給を停止し且つ原燃料供給手段により原燃料を供給して、燃料改質装置及び燃料電池装置に原燃料を充填する停止時処理が行われる。
【０００３】
従来の燃料電池システムでは、原燃料として、ＬＮＧ又は天然ガスをＬＰＧ等にて熱量調整して生成される都市ガスや、ＬＮＧ、天然ガス、ＬＰＧ等が用いられる。そして、上述したように、従来の燃料電池システムでは、停止途中の蒸気充填終了後に燃料改質装置の改質器及び一酸化炭素を二酸化炭素に変成する変成器等の内部の蒸気を原燃料にて排出すると共に、その内部に原燃料を充填している。従来システムにおいて、原燃料により蒸気の排出を開始する時、燃料改質装置の変成器の変成触媒温度は通常およそ１５０℃〜２００℃前後である。
【先行技術文献】
【特許文献】
【０００４】
【特許文献１】特許第５０９０７６９号
【発明の概要】
【発明が解決しようとする課題】
【０００５】
変成器の変成触媒としては銅―亜鉛系の触媒などが用いられるが、燃料改質装置の内部に原燃料を充填する停止時処理を行い及びその停止状態を維持した後に再び改質運転を行ったとき、停止時処理で充填される原燃料によっては停止前と比較して停止後の変成器出口のＣＯ濃度が大きく上昇するという現象、即ち、変成器の性能が低下するという現象を確認できた。
以下に、運転停止中の燃料改質装置の内部への原燃料のパージ（即ち、原燃料を連続して吹き流す）を行う前後での変成器の性能の変化を、原燃料としてＬＰＧ及び都市ガス（１３Ａ）及び高純度プロパンを用いて測定した結果を用いて説明する。
【０００６】
図４〜図７は、運転停止中の燃料改質装置の内部への原燃料のパージを行う前後での変成器の性能の変化を説明するグラフである。変成器の性能は、変成器出口でのＣＯ濃度で示している。つまり、変成器出口でのＣＯ濃度が低ければ変成器の性能は高いと見なすことができ、変成器出口でのＣＯ濃度が高ければ変成器の性能は低いと見なすことができる。尚、ここで用いた変成触媒は銅―亜鉛系の触媒である。
【０００７】
図４は、原燃料としてＬＰＧを用いた場合の、運転停止中の燃料改質装置の内部への原燃料のパージを行う前後での変成器の性能の変化を示すグラフである。図５は、原燃料として都市ガス（１３Ａ）を用いた場合の、運転停止中の燃料改質装置の内部への原燃料のパージを行う前後での変成器の性能の変化を示すグラフである。図６は、原燃料として高純度プロパンを用いた場合の、運転停止中の燃料改質装置の内部への原燃料のパージを行う前後での変成器の性能の変化を示すグラフである。図７は、運転停止中の燃料改質装置の内部への原燃料のパージを行う前後での変成器の性能の変化に与える温度の影響を示すグラフである。
【０００８】
図４に示すように、ＬＰＧパージ後での変成器出口のＣＯ濃度は、ＬＰＧパージ前での変成器出口のＣＯ濃度よりも高くなっており、運転停止中の燃料改質装置の内部へのＬＰＧパージにより変成器の性能が低下したことが分かる。特に、ＬＰＧを２００℃で２１０時間パージした場合には、変成器の性能低下は非常に大きい。
図５に示すように、都市ガス（１３Ａ）パージ後での変成器出口のＣＯ濃度も、都市ガスパージ前での変成器出口のＣＯ濃度よりも高くなっており、運転停止中の燃料改質装置の内部への都市ガスパージにより変成器の性能が低下したことが分かる。
図６に示すように、高純度プロパンパージ後での変成器出口のＣＯ濃度は、高純度プロパンパージ前での変成器出口のＣＯ濃度とほぼ同じであり、運転停止中の燃料改質装置の内部への高純度プロパンパージにより変成器の性能はほとんど低下していないことが分かる。
図７に示すように、ＬＰＧパージ中の変成触媒温度が室温であった場合、変成器出口のＣＯ濃度の上昇はほとんど見られず、１５０℃および２００℃の場合においては明確なＣＯ濃度上昇が見られた。このことより、変成触媒温度が１５０℃〜２００℃付近にてＬＰＧ成分を含有する原燃料にて充填を行うと、変成器出口のＣＯ濃度は上昇するものと考えられる。
【０００９】
図８は、ＬＰＧに含まれる飽和炭化水素であるプロパン以外の成分としての不飽和炭化水素であるプロピレンに着目して、プロピレンを都市ガス（１３Ａ）に０．５％添加したガスのパージを行った後で、変成触媒単体でその性能試験（ＣＯ変成率の試験）を行った結果を示す。同様に、変成触媒として銅―亜鉛系の触媒を用いた。また、比較例として、新品の変成触媒のＣＯ変成率、窒素を２００℃で１００時間パージした後のＣＯ変成率、都市ガスを２００℃で１００時間パージした後のＣＯ変成率の試験結果も示す。
【００１０】
図８から分かるように、比較例として示した、新品及び窒素パージ及び都市ガスのみパージの場合の変成触媒は、相対的に高いＣＯ変成率を達成している。また、室温でプロピレンを含む都市ガスのパージを行った後の変成触媒も、相対的に高いＣＯ変成率を達成している。
これに対して、実際の停止処理時の温度（例えば、１５０℃〜２００℃）付近でプロピレンを含む都市ガスのパージを行った後の変成触媒は、相対的に低いＣＯ変成率しか達成していない。具体的には、触媒温度が１００℃以上になるとＣＯ変成率低下への影響が大きくなり、２００℃まで温度が上昇するにしたがってＣＯ変成率の低下が大きく現れた。
【００１１】
このように、プロピレンを含まない高純度プロパンによるパージ試験では他のＬＰＧ成分含有の原燃料よりもパージ後の変成器の性能低下が小さかったこと、及び、室温では変成器の性能低下がほとんど現れなかったことを考え合わせると、原燃料充填による変成器の性能低下は、原燃料成分の内、プロピレン等の不飽和炭化水素成分による影響及び原燃料充填時の温度の影響が大きいと考えられる。尚、改質運転中は原燃料中の不飽和炭化水素成分は改質触媒にて改質されることから変成触媒性能には影響しないと考えられる。
【００１２】
更に、図３は、燃料改質装置で行われる水蒸気改質処理の開始から終了までの連続時間を異ならせて起動停止を繰り返したときの変成器の性能の推移を示す実験結果である。同様に、変成触媒として銅―亜鉛系の触媒を用いた。具体的には、水蒸気改質を期間：Ｔだけ連続して行った後で上記停止時処理を行い、原燃料を充填したままでその停止状態を２時間だけ維持した後で上記起動時処理を行って再び燃料改質装置で水蒸気改質処理を実施した。図示するように、連続運転の期間Ｔを１時間に設定して起動停止を繰り返すと、その起動停止回数の増加に伴って変成器の出口のＣＯ濃度が上昇しており、変成器の性能が低下していることが分かる。また、起動停止回数が４００回を超えた辺りで連続運転の期間Ｔが１００時間になる水蒸気改質処理を行うと、変成器の出口のＣＯ濃度が低下した（即ち、変成器の性能が回復した）ことが分かるが、その後に連続運転の期間Ｔを１時間に設定して起動停止を繰り返すと、再び変成器の出口のＣＯ濃度が上昇している。
【００１３】
以上のように、原燃料を充填した状態で燃料改質装置を停止させている間に変成器の性能が低下し得ること、及び、燃料改質装置で行われる水蒸気改質処理の開始から終了までの連続時間が短いと変成器の性能が十分に回復されないこと、燃料改質装置で行われる水蒸気改質処理の開始から終了までの連続時間が長いと変成器の性能が回復することが分かった。
【００１４】
本発明は、上記の課題に鑑みてなされたものであり、その目的は、変成器の性能低下を抑制できる燃料電池システムを提供する点にある。
【課題を解決するための手段】
【００１５】
上記目的を達成するための本発明に係る燃料電池システムの特徴構成は、原燃料を水蒸気改質して水素を主成分とするガスを生成する燃料改質装置と、前記燃料改質装置で生成された水素を主成分とするガスを用いて発電を行うセルスタックを有する燃料電池装置と、運転を制御する制御装置とを備え、
前記燃料改質装置は、原燃料を改質して水素を主成分とし一酸化炭素を含む改質ガスを生成する改質器と、前記改質ガスに含まれる一酸化炭素を変成触媒を用いて二酸化炭素に変成する変成器とを有する燃料電池システムであって、
前記制御装置は、前記燃料改質装置で行われる水蒸気改質処理の開始から終了までの連続時間が第１設定時間未満であった第１累積回数が第１所定回数に達すると、その後に前記燃料改質装置で行われる水蒸気改質処理の開始から終了までの連続時間を、前記第１設定時間よりも長い第２設定時間以上にさせる点にある。
【００１６】
燃料改質装置で行われる水蒸気改質処理の開始から終了までの連続時間が短い場合、改質処理中に変成器の性能が十分に回復しない。そのため、改質処理の開始から終了までの連続時間が短い運転が繰り返されると、変成器の性能低下が積み重なるという問題がある。
ところが本特徴構成では、制御装置は、燃料改質装置で行われる水蒸気改質処理の開始から終了までの連続時間が第１設定時間未満であった第１累積回数が第１所定回数に達すると、その後に燃料改質装置で行われる水蒸気改質処理の開始から終了までの連続時間を第２設定時間以上にさせる。つまり、燃料改質装置の起動停止が繰り返されることで変成器の性能低下が積み重なったとしても、改質処理の開始から終了までの連続時間が第２設定時間以上である運転が行われることで、変成器の性能を回復させることができる。
従って、変成器の性能低下を抑制できる燃料電池システムを提供できる。
【００１７】
本発明に係る燃料電池システムの別の特徴構成は、運転停止時に前記燃料改質装置の内部に充填される原燃料の組成に関する情報を受け付ける組成情報受付手段を備え、
前記制御装置は、前記組成情報受付手段が受け付けた原燃料の組成に応じて前記第１所定回数を決定する点にある。
【００１８】
運転停止時に燃料改質装置の内部に充填される原燃料の組成に応じて、その原燃料を充填した状態で燃料改質装置を停止させている間での変成器の性能低下の程度が変わる。つまり、原燃料を充填した状態で燃料改質装置を停止させている間での変成器の性能低下の程度が小さいような原燃料を用いていれば、停止回数が多くなっても変成器の性能低下はそれほど大きくはないと考えてもよい。これに対して、原燃料を充填した状態で燃料改質装置を停止させている間での変成器の性能低下の程度が大きいような原燃料を用いていれば、停止回数が多くなると変成器の性能は大きく低下していると考えてもよい。
そこで本特徴構成では、制御装置は、組成情報受付手段が受け付けた原燃料の組成に応じて上記第１所定回数を決定する。つまり、変成器の性能を回復させるための、燃料改質装置で行われる水蒸気改質処理の開始から終了までの連続時間を第２設定時間以上にさせて変成器の性能を回復させる運転を行うタイミングを、原燃料の組成に応じて、即ち、変成器の性能低下の程度に応じて適切に設定できる。
【００１９】
本発明に係る燃料電池システムの更に別の特徴構成は、前記変成触媒は銅―亜鉛系の触媒であり、前記組成情報受付手段は、原燃料に含まれる不飽和炭化水素の量に関する情報を受け付け、前記制御装置は、前記組成情報受付手段が受け付けた原燃料に含まれる不飽和炭化水素の量が多いほど、前記第１所定回数が少なくなるように決定する点にある。
ここで、前記不飽和炭化水素はプロピレンであってもよい。
【００２０】
原燃料にプロピレン等の不飽和炭化水素が含まれていれば、その原燃料を充填した状態で燃料改質装置を停止させている間での変成器の性能低下の程度が大きくなる。
そこで本特徴構成では、制御装置は、組成情報受付手段が受け付けた原燃料に含まれるプロピレン等の不飽和炭化水素の量が多いほど上記第１所定回数が少なくなるように決定する。つまり、変成器の性能を回復させるための、燃料改質装置で行われる水蒸気改質処理の開始から終了までの連続時間を第２設定時間以上にさせる運転を行うタイミングを、原燃料に含まれるプロピレン等の不飽和炭化水素の量に応じて、即ち、変成器の性能低下の程度に応じて適切に設定できる。
【００２１】
本発明に係る燃料電池システムの更に別の特徴構成は、前記制御装置は、前記燃料改質装置で行われる水蒸気改質処理の開始から終了までの連続時間が前記第２設定時間以上になると、前記第１累積回数を減少させる点にある。
【００２２】
燃料改質装置で行われる水蒸気改質処理の開始から終了までの連続時間が長くなる程、変成器の性能は回復する。この場合、燃料改質装置で行われる水蒸気改質処理の開始から終了までの連続時間が第１設定時間未満であった第１累積回数がより少ない状態に戻ったと見なすこともできる。
そこで本特徴構成では、制御装置は、燃料改質装置で行われる水蒸気改質処理の開始から終了までの連続時間が第２設定時間以上になると、変成器の性能低下の度合いを反映している上記第１累積回数を減少させる。
【００２３】
本発明に係る燃料電池システムの更に別の特徴構成は、前記制御装置は、前記燃料改質装置で行われる水蒸気改質処理の開始から終了までの連続時間が前記第２設定時間以上になった第２累積回数が第２所定回数に達すると、前記第１累積回数をゼロにする点にある。
【００２４】
燃料改質装置で行われる水蒸気改質処理の開始から終了までの連続時間が長くなる程、変成器の性能は回復する。つまり、その連続時間が長い水蒸気改質処理が行われた累積回数が増加すると、その累積回数の分だけ変成器の性能回復が行われたと見なせる。
そこで本特徴構成では、制御装置は、燃料改質装置で行われる水蒸気改質処理の開始から終了までの連続時間が上記第２設定時間以上になった第２累積回数が第２所定回数に達すると、変成器の性能が十分に回復したと見なして、変成器の性能低下の度合いを反映している上記第１累積回数をゼロにする。
【図面の簡単な説明】
【００２５】
【図１】燃料電池システムの構成を示す図である。
【図２】燃料電池装置からの電気及び熱の供給先を説明する図である。
【図３】起動停止を繰り返したときの変成器の性能の推移を示す実験結果である。
【図４】運転停止中の燃料改質装置の内部への原燃料のパージを行う前後での変成器の性能の変化を説明するグラフである。
【図５】運転停止中の燃料改質装置の内部への原燃料のパージを行う前後での変成器の性能の変化を説明するグラフである。
【図６】運転停止中の燃料改質装置の内部への原燃料のパージを行う前後での変成器の性能の変化を説明するグラフである。
【図７】運転停止中の燃料改質装置の内部への原燃料のパージを行う前後での変成器の性能の変化を説明するグラフである。
【図８】変成触媒の性能試験（ＣＯ変成率の試験）を行った結果を示すグラフである。
【発明を実施するための形態】
【００２６】
以下に図面を参照して本発明の実施形態に係る燃料電池システムについて説明する。
図１は、燃料電池システムの構成を示す図である。図示するように、燃料電池システムは、原燃料を水蒸気改質して水素を主成分とするガスを生成する燃料改質装置１０と、燃料改質装置１０で生成された水素を主成分とするガスを用いて発電を行うセルスタック２１を有する燃料電池装置２０と、運転を制御する制御装置３０とを備える。
【００２７】
図２は、燃料電池装置２０からの電気及び熱の供給先を説明する図である。図示するように、燃料電池装置２０で発電された電気及び燃料電池装置２０から排出される排熱は、電力消費装置２２及び熱消費装置２３に供給される。具体的には、電力消費装置２２は、燃料電池装置２０及び商用の電力系統２６の少なくとも何れか一方から電力の供給を受けることができる。図２に示す例では、燃料電池装置２０から排出される排熱は、蓄熱装置２４に蓄えられる。蓄熱装置２４は、例えば湯を貯める貯湯タンクである。そして、蓄熱装置２４から熱消費装置２３に対して熱が供給される。また、蓄熱装置２４に十分な熱が蓄えられていないときには、例えばガス燃焼式等の熱源機２５から熱消費装置２３に熱を供給できる。
【００２８】
燃料改質装置１０は、改質器１２と変成器１３とを有する。加えて、本実施形態の燃料改質装置１０は、脱硫器１１と除去器１４と燃焼器１６と加熱部１７と蒸発部１８と電気ヒーター１５とを備える。燃料改質装置１０では、原燃料流路Ｌ１を通って改質器１２へ原燃料が供給され、改質器１２で生成された改質ガスが改質ガス流路Ｌ２を通って燃料電池装置２０に供給される。脱硫器１１は、改質器１２よりも上流側の原燃料流路Ｌ１の途中に設けられる。変成器１３及び除去器１４は、改質器１２と燃料電池装置２０との間の改質ガス流路Ｌ２の途中に設けられる。
【００２９】
脱硫器１１は、供給される原燃料に含まれる硫黄化合物を脱硫処理する脱硫触媒１１ａを有する。原燃料は、例えばＬＮＧ又は天然ガスをＬＰＧ等にて熱量調整して生成される都市ガスである。都市ガスには上記硫黄化合物が付臭剤として添加されている。脱硫器１１へ供給する原燃料の流量は、制御装置３０が、脱硫器１１よりも上流側の原燃料流路Ｌ１の途中に設けられるバルブＶ１の開度を調節して制御する。脱硫器１１で脱硫処理された脱硫処理済ガスは、その後、改質器１２へ供給される。従って、制御装置３０が、脱硫器１１へ供給する原燃料の流量を調節することで、その後に改質器１２で生成される改質ガスの量が調節され、最終的には、燃料電池装置２０のセルスタック２１のアノード（図示せず）に供給される水素量が調節される。つまり、制御装置３０は、セルスタック２１の発電出力を上昇させるのであれば、バルブＶ１の開度を大きくして脱硫器１１へ供給する原燃料の流量を増加させる制御を行えばよい。
【００３０】
蒸発部１８は、水流路Ｌ５を介して供給される水を加熱部１７による加熱にて蒸発させる。加熱部１７には、燃焼排ガス流路Ｌ４を介して燃焼器１６から排出された燃焼排ガスが供給されて、その燃焼排ガスが保有する熱が水の蒸発のために利用される。蒸発部１８で生成された水蒸気は、水流路Ｌ５を通って脱硫器１１と改質器１２との間の原燃料流路Ｌ１に供給される。そして、蒸発部１８で生成された水蒸気が、脱硫処理後の原燃料と共に改質器１２へ供給される。蒸発部１８に供給する水の流量は、制御装置３０が、蒸発部１８よりも上流側の水流路Ｌ５の途中に設けられるバルブＶ４の開度を調節して制御する。例えば、制御装置３０は、セルスタック２１の発電出力を上昇させる際、脱硫器１１への原燃料の供給量の増加と合わせて、蒸発部１８に供給する水の流量を増加させる制御を行えばよい。蒸発部１８に供給される水の流量は、改質器１２に供給される水蒸気の量と比例する。
【００３１】
燃焼器１６は、可燃性のガスを燃焼して燃焼熱を発生させる。可燃性ガスとしては、セルスタック２１から排出されたアノード排ガス（発電反応に用いられなかった水素を含むガス）又は上述した都市ガス等の原燃料、或いは、その両方を用いることができる。燃焼器１６には、セルスタック２１から排出されたアノード排ガスが流れるアノード排ガス流路Ｌ３が接続されている。また、アノード排ガス流路Ｌ３の途中には、原燃料が供給される補助燃料流路Ｌ６が接続されている。制御装置３０は、アノード排ガス流路Ｌ３の途中に設けられたバルブＶ２の開度を調節して、セルスタック２１から燃焼器１６へアノード排ガス流路Ｌ３を介して供給するアノード排ガスの流量を制御でき、並びに、補助燃料流路Ｌ６の途中に設けられたバルブＶ３の開度を調節して、燃焼器１６に供給する原燃料の流量を制御できる。つまり、制御装置３０は、バルブＶ２、Ｖ３の開度を調節することで、燃焼器１６での発熱量を制御できる。
【００３２】
改質器１２は、燃焼器１６で発生された燃焼熱を利用して原燃料を水蒸気改質して改質ガスを生成する。原燃料が、メタンを主成分とするガスである場合、改質器１２では、改質触媒１２ａの触媒作用によって、燃焼器１６による例えば６５０℃〜７５０℃程度の加熱下でメタンと水蒸気とが下記の反応式にて改質反応して、水素と一酸化炭素と二酸化炭素を含むガスに改質処理される。加えて、改質器１２は、改質触媒１２ａの温度を検出する温度センサＴ１を有する。
【００３３】
ＣＨ４＋Ｈ２Ｏ→ＣＯ＋３Ｈ２
ＣＨ４＋２Ｈ２Ｏ→ＣＯ２＋４Ｈ２
【００３４】
変成器１３は、改質器１２にて生成された改質ガスに含まれる一酸化炭素を低減するように処理する。具体的には、変成器１３では、例えば銅−亜鉛系などの変成触媒１３ａの触媒作用によって、改質ガス中の一酸化炭素と水蒸気とが、例えば１５０℃〜３００℃程度の反応温度で下記の反応式にて変成反応して、一酸化炭素が二酸化炭素に変成処理される。加えて、変成器１３は、変成触媒１３ａの温度を検出する温度センサＴ２を有する。また、変成器１３には、変成触媒１３ａを加熱可能な加熱手段としての電気ヒーター１５が設けられている。そして、制御装置３０が、温度センサＴ２によって測定される変成触媒１３ａの温度が上述した１５０℃〜３００℃程度になるように電気ヒーター１５の動作を制御する。
【００３５】
ＣＯ＋Ｈ２Ｏ→ＣＯ２＋Ｈ２
【００３６】
除去器１４は、変成器１３から排出される変成処理済ガス中に残留している一酸化炭素を除去する。具体的には、除去器１４においては、ルテニウムや白金、パラジウム、ロジウム等の除去触媒１４ａの触媒作用によって、変成処理済ガス中に残っている一酸化炭素が、添加された空気中の酸素によって酸化されて除去される。その結果、一酸化炭素濃度の低い（例えば１０ｐｐｍ以下）、水素リッチな改質ガスが生成される。
【００３７】
以上のようにして燃料改質装置１０で生成された水素を主成分とする改質ガスは、燃料電池装置２０が有するセルスタック２１のアノード（図示せず）に供給される。セルスタック２１のカソード（図示せず）には酸素（空気）が供給される。また、上述したように、セルスタック２１から排出されるアノード排ガス（発電反応に用いられなかった水素を含むガス）は、アノード排ガス流路Ｌ３を通じて燃焼器１６に可燃性ガスとして供給される。尚、本実施形態で想定する燃料電池装置２０は、セルスタック２１の電極触媒の一酸化炭素による被毒が問題となるような固体高分子形燃料電池やリン酸形燃料電池である。
【００３８】
次に、燃料電池システムの起動及び停止について説明する。
制御装置３０は、この燃料電池システムを停止させるとき、燃焼器１６の燃焼を停止し、改質器１２の温度が原燃料の熱分解を防止でき且つ水蒸気の凝縮を防止できる温度（例えば、１５０℃以上３００℃以下の範囲内の所定温度など）に下がるまでは、改質器１２への原燃料ガスの供給及び水蒸気の供給のうち少なくとも水蒸気の供給を継続し、改質器１２の温度が原燃料ガスの熱分解を防止でき且つ水蒸気の凝縮を防止できる温度に下がると、改質器１２への水蒸気の供給を停止し且つ原燃料ガスを供給して、燃料改質装置１０及び燃料電池装置２０に原燃料ガスを充填する停止時処理を行う。例えば、制御装置３０は、バルブＶ１〜Ｖ４を閉止した状態に維持することで、燃料改質装置１０及び燃料電池装置２０に原燃料ガスを充填した状態を維持できる。
【００３９】
制御装置３０は、この燃料電池システムを起動させるとき、燃焼器１６の燃焼を開始して、改質器１２の温度が原燃料ガスの熱分解を防止でき且つ水蒸気の凝縮を防止できる温度に昇温すると、改質器１２への水蒸気の供給を開始して、燃料改質装置１０及び燃料電池装置２０に充填されている原燃料ガスを水蒸気にて置換し、改質器１２の温度が改質処理可能な温度に昇温すると、改質器１２への原燃料の供給を開始する起動時処理を行う。
【００４０】
以上のように、燃料電池システムの停止時処理を行った後、次に起動時処理を行う迄の間は、燃料改質装置１０及び燃料電池装置２０の内部は、原燃料が充填された状態で封止されている。
尚、燃料電池システムの運転中、制御装置３０は、温度センサＴ２によって測定される変成触媒１３ａの温度が例えば１５０℃〜３００℃程度になるように電気ヒーター１５の動作を制御している。
停止時処理を行って電気ヒーター１５の動作を停止させるとしても、停止処理中に燃料改質装置１０の内部での結露を防止するために、少なくとも改質触媒１２ａ及び変成触媒１３ａが１００℃を超える状態にて原燃料の充填を実施する必要がある。そのため、原燃料中に不飽和炭化水素成分をより多く含む場合は、停止処理時の原燃料充填工程が起動及び停止の度に繰り返されることにより、変成触媒１３ａの劣化が徐々に加速される可能性がある。そして、変成器１３の出口でのＣＯ濃度が上昇して、セルスタック２１に到達するＣＯ量が増加すると、セルスタック２１の電圧が低下し、発電不能に至るなどの問題が生じ得る。
【００４１】
図３は、燃料改質装置１０で行われる水蒸気改質処理の開始から終了までの連続時間を異ならせて起動停止を繰り返したときの変成器１３の性能の推移を示す実験結果である。具体的には、水蒸気改質を期間：Ｔだけ連続して行った後で上記停止時処理を行い、原燃料の充填を２時間だけ行った後で上記起動時処理を行って再び燃料改質装置１０で水蒸気改質処理を実施した。図示するように、連続運転の期間Ｔを１時間に設定して起動停止を繰り返すと、変成器１３の出口のＣＯ濃度が上昇しており、変成器１３の性能が低下したことが分かる。但し、起動停止回数が４００回を超えた辺りで連続運転の期間Ｔが１００時間になる水蒸気改質処理を行うと、変成器１３の出口のＣＯ濃度が低下しており、変成器１３の性能が回復したことが分かる。尚、この実験で用いた変成触媒１３ａは、酸化銅及び酸化亜鉛を主成分として含む混合物を水素還元するなどして得られる銅―亜鉛系の触媒である。その混合物に主成分として含まれる酸化銅の含有割合は例えば２０％〜８０％の範囲であり、酸化亜鉛の含有割合は酸化銅の含有割合に応じて例えば５％〜５０％の範囲である。
【００４２】
連続運転の期間Ｔを４時間に設定して水蒸気改質処理を行っても、変成器１３の性能回復は見られない。また、連続運転の期間Ｔを９時間に設定して水蒸気改質処理を行うと、変成器１３の性能低下が抑制できている。更に、連続運転の期間Ｔを２１時間に設定して水蒸気改質処理を行うと、変成器１３の性能回復が明らかに現れる。以上のように、今回の実験では、連続運転の期間Ｔを９時間より長くに設定して水蒸気改質処理を行えば、変成器１３の性能低下は現れず、一旦低下した性能の回復を期待できることが分った。
【００４３】
従って、制御装置３０は、燃料改質装置１０で行われる水蒸気改質処理の開始から終了までの連続時間が第１設定時間未満であった回数（第１累積回数）を記憶しておき、その第１累積回数が第１所定回数に達すると、その後に燃料改質装置１０で行われる水蒸気改質処理の開始から終了までの連続時間を第２設定時間以上にさせればよい。
【００４４】
第１設定時間は、燃料改質装置１０で水蒸気改質処理を行っている間に変成器１３の性能が十分に回復されない長さに設定される。例えば、図３に示した例であれば、連続時間が１時間及び４時間の場合、燃料改質装置１０で水蒸気改質処理を行っている間に変成器１３の性能が十分に回復されないため、起動停止回数の増加に伴って変成器１３の性能が徐々に低下している。また、連続時間が９時間の場合、起動停止回数が増加しても変成器１３の性能は低下せずにほぼ一定であるが、燃料改質装置１０で水蒸気改質処理を行っている間に変成器１３の性能が十分に回復されているとは言い難い。従って、図３に示した例であれば、この第１設定時間は９時間未満の長さに設定できる。
【００４５】
第２設定時間は、燃料改質装置１０で水蒸気改質処理を行っている間に変成器１３の性能が十分に回復される長さに設定される。例えば、図３に示した例であれば、連続時間が２１時間及び１００時間の場合、燃料改質装置１０で水蒸気改質処理を行っている間に変成器１３の性能回復が進み、起動停止回数の増加に伴って変成器１３の性能が十分に回復する。また、連続時間が９時間の場合、起動停止回数が増加しても変成器１３の性能は低下せずにほぼ一定であるが、燃料改質装置１０で水蒸気改質処理を行っている間に変成器１３の性能が十分に回復されているとは言い難い。従って、図３に示した例であれば、この第２設定時間は９時間より長い時間に設定できる。
【００４６】
尚、変成器１３の性能低下は、停止時処理によって原燃料の充填を行った後、次に起動時処理を行って再び燃料改質装置１０で水蒸気改質処理を開始する迄の間の停止期間中に起こるため、その停止期間の長さに応じて上述の第１設定時間及び第２設定時間の長さを適宜決定する必要がある。また、上述の第１累積回数についても適宜決定する必要がある。例えば、制御装置３０は、連続時間が４時間未満であった第１累積回数が１００回に達する、連続時間が５時間未満であった第１累積回数が１５０回に達すると、連続時間を９時間よりも長い期間にさせる等、上述した連続時間と第１累積回数との組み合わせは適宜変更可能である。
【００４７】
他にも、図４〜図８に示したように、運転停止時に燃料改質装置１０の内部に充填される原燃料の組成に応じて、その原燃料を充填した状態で燃料改質装置１０を停止させている間での変成器１３の性能低下の程度が変わる。つまり、原燃料を充填した状態で燃料改質装置１０を停止させている間での変成器１３の性能低下の程度が小さいような原燃料を用いていれば、停止回数が多くなっても変成器１３の性能低下はそれほど大きくはないと考えてもよい。これに対して、原燃料を充填した状態で燃料改質装置１０を停止させている間での変成器１３の性能低下の程度が大きいような原燃料を用いていれば、停止回数が多くなると変成器１３の性能は大きく低下していると考えてもよい。
【００４８】
そこで、燃料電池システムは、運転停止時に燃料改質装置１０の内部に充填される原燃料の組成に関する情報を受け付ける組成情報受付手段３１を備える。そして、制御装置３０は、組成情報受付手段３１が受け付けた原燃料の組成に応じて上記第１所定回数（第１累積回数）を決定する。つまり、変成器１３の性能を回復させるための、燃料改質装置１０で行われる水蒸気改質処理の開始から終了までの連続時間を第２設定時間以上にさせて変成器１３の性能を回復させる運転を行うタイミングを、原燃料の組成に応じて、即ち、変成器１３の性能低下の程度に応じて適切に設定できる。例えば、図４〜図８に示したように、原燃料に不飽和炭化水素が含まれていれば、その原燃料を充填した状態で燃料改質装置１０を停止させている間での変成器１３の性能低下の程度が大きくなる。よって、制御装置３０は、組成情報受付手段３１が受け付けた原燃料に含まれる不飽和炭化水素の量が多いほど上記第１所定回数が少なくなるように決定する。つまり、変成器１３の性能を回復させるための、燃料改質装置で行われる水蒸気改質処理の開始から終了までの連続時間を第２設定時間以上にさせる運転を行うタイミングを、原燃料に含まれる不飽和炭化水素の量に応じて、即ち、変成器１３の性能低下の程度に応じて適切に設定できる。例えば、不飽和炭化水素としてはプロピレンなどであるが、他の不飽和炭化水素化合物であってもよい。
【００４９】
組成情報受付手段３１は、例えば、ガス供給を行う事業者との間でインターネット等を介して通信可能な機能を有する機器を用いて実現できる。この場合、組成情報受付手段３１は、ガス供給を行う事業者が送信した、供給するガスの組成に関する情報（例えば、プロピレン等の不飽和炭化水素の含有量に関する情報等）を受け付けると、予め記憶していた計算式等を用いてそのプロピレン等の不飽和炭化水素の含有量に応じた上記第１所定回数を決定する。
或いは、組成情報受付手段３１は、使用者による操作入力を受け付ける機器（例えば、燃料電池システムの設定入力などを行うリモコン装置など）を用いて実現できる。この場合、燃料電池システムの使用者は、事業者から供給されるガスの組成に関する情報を予め入手した上で、燃料電池システムの設定入力などを行うリモコン装置（組成情報受付手段３１）でガスの組成に関する情報を入力すればよい。
【００５０】
また、燃料改質装置１０で行われる水蒸気改質処理の開始から終了までの連続時間が長くなる程、変成器１３の性能は回復する。つまり、変成器１３の性能が回復したということは、燃料改質装置１０で行われる水蒸気改質処理の開始から終了までの連続時間が第１設定時間未満であった第１累積回数がより少ない状態に戻ったと見なすこともできる。よって、制御装置３０は、燃料改質装置１０で行われる水蒸気改質処理の開始から終了までの連続時間が第２設定時間以上になると、変成器１３の性能低下の度合いを反映している上記第１累積回数を減少させてもよい。
特に、上記連続時間が長い水蒸気改質処理が行われた累積回数が増加すると、その累積回数の分だけ変成器の性能回復が行われたと見なしてもよい。従って、制御装置３０は、燃料改質装置１０で行われる水蒸気改質処理の開始から終了までの連続時間が上記第２設定時間以上になった回数（第２累積回数）を記憶しておき、その第２累積回数が第２所定回数に達すると、変成器１３の性能が十分に回復したと見なして、変成器１３の性能低下の度合いを反映している上記第１累積回数をゼロにしてもよい。ここでの第２所定回数は適宜設定できる。
【００５１】
次に、制御装置３０が、燃料改質装置１０で行われる水蒸気改質処理の開始から終了までの連続時間を変更するときの制御について説明する。
燃料電池システムを住宅や事業所などの施設に設置して運転させるとき、燃料電池システム（燃料改質装置１０及び燃料電池装置２０）の起動タイミング及び停止タイミングは、その施設での電力負荷及び熱負荷に応じて決定されることがある。例えば、制御装置３０は、どのような出力でどの時間帯に燃料電池システムを連続運転させれば、熱消費装置２３での将来（例えば当日中又は翌日迄など）の予測熱消費量を賄うために必要な熱量を蓄熱装置２４に蓄熱完了でき、且つ、電力消費装置２２での将来の予測電力消費量の少なくとも一部を少ないコストで賄えるのかを事前に決定する。そして、制御装置３０は、決定した起動タイミング及び出力で燃料電池システムの運転を開始し、熱消費装置２３での将来の予測熱消費量を賄うために必要な熱量が蓄熱装置２４に蓄熱完了すると、燃料電池システムを停止させる。このような運用を行った場合、予測熱負荷量の少ない使用者の燃料電池システムでは、短い時間帯で必要な熱量が蓄熱装置２４に蓄熱完了するため、燃料電池システムの連続運転時間が短くなる可能性が高くなる。そして、上述したように、燃料改質装置１０で行われる水蒸気改質処理の開始から終了までの連続時間が第１設定時間未満であった第１累積回数が第１所定回数に達することで、変成器１３の性能低下が大きくなることがある。
【００５２】
そこで、制御装置３０は、燃料改質装置１０で行われる水蒸気改質処理の開始から終了までの連続時間が第１設定時間未満であった第１累積回数が第１所定回数に達すると、燃料電池システムの当初の停止タイミングになっても停止しないことで、燃料電池システムの連続運転時間の延長処理を実行する。例えば、制御装置３０は、熱消費装置２３での将来の予測熱消費量を賄うために必要な熱量が蓄熱装置２４に蓄熱完了したとしても（当初の停止タイミングになっても）、蓄熱装置２４の蓄熱量が上限値に達するまでは燃料電池システムの運転を継続するという延長処理を実行する。
更に、制御装置３０は、蓄熱装置２４の蓄熱量が上限値に達したとしても、蓄熱装置２４に蓄えられている熱を強制的に放熱して、燃料電池システムの運転を継続するという延長処理を実行してもよい。例えば、蓄熱装置２４が湯を貯める貯湯タンクである場合、強制的な放熱の手法として、ラジエータなどを動作させて貯湯タンクに貯えられている湯からの放熱を行う手法、湯を貯湯タンクから廃棄して低温の上水を新たに導入する手法、貯湯タンクに貯えられている湯を熱消費装置２３（例えば、風呂、暖房など）で強制的に使用させる手法などがある。
【００５３】
或いは、制御装置３０は、燃料改質装置１０で行われる水蒸気改質処理の開始から終了までの連続時間が第１設定時間未満であった第１累積回数が第１所定回数に達すると、燃料電池システムの出力を計画値よりも低下させてもよい。例えば、制御装置３０は、燃料電池システムの出力を計画値の７５％値や５０％値などに変更して運転し続け、熱消費装置２３での将来の予測熱消費量を賄うために必要な熱量が蓄熱装置２４に蓄熱完了すると、燃料電池システムを停止させる。つまり、燃料電池システムの出力を計画値よりも低下させることで燃料電池システムから蓄熱装置２４へと回収する単位時間当たりの熱量を低下させる。その結果、蓄熱装置２４に予測熱消費量に相当する熱量が蓄熱完了するまでの所要時間は長くなり、燃料電池システムの連続運転時間が長くなる。
【００５４】
＜別実施形態＞
＜１＞
上記実施形態では、本発明の燃料電池システムの構成について具体例を挙げて説明したが、その構成は適宜変更可能である。例えば、図１には燃料改質装置１０の構成を例示したが、ガスの流路やバルブの配置などは適宜変更可能である。
【００５５】
＜２＞
上記実施形態では、具体的な数値を挙げて本発明の説明を行ったがそれらの数値は例示目的で記載したものであり、適宜変更可能である。例えば、改質器１２及び変成器１３の温度や、燃料改質装置１０の運転時間などは、適宜変更可能である。
【００５６】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００５７】
本発明は、変成器の性能低下を抑制できる燃料電池システムに利用できる。
【符号の説明】
【００５８】
１０  燃料改質装置
１２  改質器
１３  変成器
１３ａ  変成触媒
２０  燃料電池装置
２１  セルスタック
３０  制御装置
３１  組成情報受付手段
【図１】
0006618389.tif 000002
【図２】
0006618389.tif 000003
【図３】
0006618389.tif 000004
【図４】
0006618389.tif 000005
【図５】
0006618389.tif 000006
【図６】
0006618389.tif 000007
【図７】
0006618389.tif 000008
【図８】
0006618389.tif 000009